(57)【要約】【課題】被写体を手持ち撮影するだけで、撮影後の外部モニタによる再生画像からある程度の精度で被写体の実際の寸法が簡単に求められる。【解決手段】デジタルカメラ１０は、撮影画面に所定ピッチ間隔の目盛りを備えた固定スケールの画像を生成させる画像ジェネレータ５０と、被写体の距離を測定して被写体にピントを合わせるように撮影レンズ１４を制御する焦点制御部２６と、焦点制御部２６により測定された被写体の距離に基づいて、固定スケール１目盛りの被写体位置における実際の大きさ示す１目盛り実寸値を演算する目盛値演算部４８と、演算された１目盛り実寸値を固定スケールと共に撮影画面に表示させる表示制御部と、固定スケール及び１目盛り実寸値を含む撮影画面の画像データを外部読出し可能なメモリカード４２に記憶させるメモリ制御部とを備える。【選択図】          図１
2004260778.tif 000002
【特許請求の範囲】
【請求項１】
撮影画面に表示させる所定ピッチ間隔の目盛りを備えた固定スケールの画像を生成するスケール画像生成部と、
被写体の距離を測定して被写体にピントを合わせるように光学系を制御する自動焦点制御部と、
前記自動焦点制御部により測定された被写体の距離に基づいて、前記固定スケール１目盛りの被写体位置における実際の大きさを示す１目盛り実寸値を演算する演算部と、
前記演算された１目盛り実寸値を前記固定スケールと共に撮影画面に表示させる表示制御部と、
前記固定スケール及び１目盛り実寸値を含む撮影画面の画像データを外部読出し可能なメモリに記憶させるメモリ制御部と、
を備えたことを特徴とするデジタルカメラ。
【請求項２】
請求項１記載のデジタルカメラに於いて、前記スケール画像生成部は、画面中心を通る十字配置された固定スケールを生成することを特徴とするデジタルカメラ。
【請求項３】
請求項３記載のデジタルカメラに於いて、前記スケール画像生成部は、画面中心を通る十字配置された固定スケールに加え、前記中心を通る斜め対角に十字配置された固定スケール及び又は中心に対して同心円を前記目盛り間隔で複数配置した多重リングスケールを生成することを特徴とするデジタルカメラ。
【請求項４】
請求項３記載のデジタルカメラに於いて、前記スケール画像生成部は、画面中心を通る十字配置された固定スケールに加え、前記中心に対する所定の半径をもつ円周上に角度目盛を備えた１又は複数の角度目盛リングを生成することを特徴とするデジタルカメラ。
【請求項５】
請求項１記載のデジタルカメラに於いて、前記スケール画像生成部は、目盛りのピッチ間隔が異なる複数種類の固定スケールの中から選択された特定の固定スケールを生成し、前記自動焦点制御部により測定された被写体の距離に基づいて、選択された固定スケールの１目盛りの被写体位置における実際の大きさを示す１目盛り実寸値を演算することを特徴とするデジタルカメラ。
【請求項６】
請求項１記載のデジタルカメラに於いて、前記目盛り制御部は、シャッター半押しによるフォーカスロックのタイミングで演算部から出力されている１目盛り実寸値を保持し、これに続くシャッターを切ったタイミングで前記保持された１目盛り実寸値を固定スケールと共に撮影画像にマージしてメモリに格納することを特徴とするデジタルカメラ。
【請求項７】
スケール画像生成部により、撮影画面に表示される所定ピッチ間隔の目盛りを備えた固定スケールの画像を生成するスケール画像生成ステップと、
自動焦点制御部により、被写体の距離を測定して被写体にピントを合わせるように光学系を制御する自動焦点制御ステップと、
演算部により、前記自動焦点制御ステップで測定された被写体の距離に基づいて、前記固定スケール１目盛りの被写体位置における実際の大きさ示す１目盛り実寸値を演算する演算ステップと、
表示制御部により、前記演算された１目盛り実寸値を前記固定スケールと共に撮影画面に表示させる表示ステップと、
メモリ制御部により、前記固定スケール及び１目盛り実寸値を含む撮影の画像データに合成して外部読出し可能なメモリに記憶させるメモリ制御ステップと、を備えたことを特徴とするデジタルカメラの制御方法。
【請求項８】
デジタルカメラを制御するコンピュータに、
撮影画面に表示される所定ピッチ間隔の目盛りを備えた固定スケールの画像を生成するスケール画像生成ステップと、
被写体の距離を測定して被写体にピントを合わせるように光学系を制御する自動焦点制御ステップと、
前記自動焦点制御ステップで測定された被写体の距離に基づいて、前記固定スケール１目盛りの被写体位置における実際の大きさを示す１目盛り実寸値を演算する演算ステップと、
前記演算された１目盛り実寸値を前記固定スケールと共に撮影画面に表示させる表示ステップと、
前記固定スケール及び１目盛り実寸値を含む撮影の画像データに合成して外部読出し可能なメモリに記憶させるメモリ制御ステップと、
を実行させることを特徴とするプログラム。
【発明の詳細な説明】
【０００１】
【発明の属する技術分野】
本発明は、撮影画像を外部モニタで再生した際に被写体の大きさが簡単に測定できるようにしたデジタルカメラ、制御方法及びプログラムに関する。
【０００２】
【従来の技術】
従来、屋内設備の設置工事にあっては、設置現場となった室内をデジタルカメラで撮影し、撮影画像をモニタに再生しながら、設置現場のどの場所に例えば配電盤等の機器を設置するかの設計作業を行っている。
【０００３】
この場合、デジタルカメラから再生したモニタ画面で撮影された設置場所の寸法が分かれば、機器設置のための設計作業を効率良く行うことができる。
【０００４】
このような撮影画像の大きさを測定できる機能を備えた従来のデジタルカメラとしては、ディスプレイ画面上に表示された測定対象とする被写体に対し、被写体の高さＹと幅Ｘをカーソルにより設定して画面上での大きさを求め、このとき被写体の距離から実際の寸法を演算するようにしたものが知られている。（特許文献１）。
【０００５】
【特許文献１】
特開平１１−３４４３１１号
【０００６】
【発明が解決しようとする課題】
しかしながら、このような従来のデジタルカメラによる被写体の寸法測定にあっては、被写体の撮影時に、デジタルカメラのディスプレイ上で測定したい被写体に縦方向および横方向の各々でカーソルを位置合わせして画面上で寸法を測定する操作が必要であり、手持ち撮影では被写体がブレでカーソルの位置合わせが困難であり、三脚などデジタルカメラを固定して撮影しなければならず、被写体の実際の寸法を測定するための撮影に手間と時間がかかり、現場での手持ち撮影による測定が困難であった。
【０００７】
またデジタルカメラに備え付けのディスプレイは５インチ以下の小型のディスプレイであり、その中の被写体にカーソルを合わせて画面上での寸法を正確に測定することには無理があり、画面上で被写体の測定誤差は被写体の距離との乗算を経て被写体の実際の寸法が計算される過程で拡大され、測定精度が相当低くなる恐れがある。
【０００８】
本発明は、被写体を手持ち撮影するだけで、撮影後の外部モニタによる再生画像からある程度の精度で被写体の実際の寸法が簡単に求められるようにしたデジタルカメラを提供することを目的とする。
【０００９】
【課題を解決するための手段】
この目的を達成するため本発明は次のように構成する。
【００１０】
本発明のデジタルカメラは、撮影画面に所定ピッチ間隔の目盛りを備えた固定スケールの画像を生成させるスケール画像生成部と、被写体の距離を測定して被写体にピントを合わせるように光学系を制御する自動焦点制御部と、自動焦点制御部により測定された被写体の距離に基づいて、固定スケール１目盛りの被写体位置における実際の大きさを示す１目盛り実寸値を演算する演算部と、演算された１目盛り実寸値を固定スケールと共に撮影画面に表示させる表示制御部と、固定スケール及び１目盛り実寸値を含む撮影画面の画像データを外部読出し可能なメモリに記憶させるメモリ制御部と、
を備えたことを特徴とする。
【００１１】
このように本発明のデジタルカメラは、撮影によりメモリに格納される撮影画像には、固定スケールと被写体の距離に基づいて演算された固定スケール１目盛りの被写体位置で実際の大きさを示す数値が合成されており、撮影の後に外部モニタで再生し、モニタ画面の固定スケールから被写体の大きさを示す目盛り数を読取り、これに画面に表示されている１目盛りの被写体位置における実際の大きさ示す数値を電卓などを使って掛け合せることで、簡単に被写体の実際の寸法を求めることができる。
【００１２】
ここで、スケール表示部は、画面中心を通る十字配置された固定スケールを表示する。またスケール表示部は、画面中心を通る十字配置された固定スケールに加え、中心を通る斜め対角に十字配置された固定スケール、及び又は中心に対して同心円を１目盛り間隔で複数配置した多重リングスケールを表示しても良い。
【００１３】
更にスケール画像生成部は、画面中心を通る十字配置された固定スケールに加え、中心に対する所定の半径をもつ円周上に角度目盛を備えた１又は複数の角度目盛リングを生成する。この角度目盛リングにより、撮影画像の中の特定の部材の角度を簡単に測定できる。
【００１４】
スケール画像生成部は、目盛りピッチ間隔の異なる複数種類の固定スケールの中から選択された特定の固定スケールの画像を生成し、自動焦点制御部により測定された被写体の距離に基づいて、選択された固定スケールの１目盛りの被写体位置における実際の大きさ示す１目盛り実寸値を演算する。
【００１５】
このように異なる目盛りピッチの固定スケールを選択的に使用することで、被写体の測定精度が要求される場合は目盛りピッチ間隔を狭くし、そうでなければ粗い目盛りピッチ間隔にするといった選択的な使用を可能とする。
【００１６】
目盛り制御部は、シャッター半押しによるフォーカスロックのタイミングで演算部から出力されている１目盛り実寸値を保持し、これに続くシャッターを切ったタイミングで保持された１目盛り実寸値を固定スケールと共に撮影画像にマージ（合成）してメモリに格納する。
【００１７】
本発明は、デジタルカメラの制御方法を提供する。この制御方法は、
スケール画像生成部により、撮影画面に所定ピッチ間隔の目盛りを備えた固定スケールの画像を生成するスケール画像生成ステップと、
自動焦点制御部により、被写体の距離を測定して被写体にピントを合わせるように光学系を制御する自動焦点制御ステップと、
演算部により、自動焦点制御ステップで測定された被写体の距離に基づいて、固定スケール１目盛りの被写体位置における実際の大きさを示す１目盛り実寸値を演算する演算ステップと、
表示制御部により、演算された１目盛り実寸値を固定スケールと共に撮影画面に表示させる目盛り実寸値表示ステップと、
メモリ制御部により、固定スケール及び１目盛り実寸値を含む撮影の画像データに合成して外部読出し可能なメモリに記憶させるメモリ制御ステップと、
を備えたことを特徴とする。
【００１８】
本発明は、デジタルカメラを制御するコンピュータに、
撮影画面に所定ピッチ間隔の目盛りを備えた固定スケールの画像を生成するスケール画像生成ステップと、
被写体の距離を測定して被写体にピントを合わせるように光学系を制御する自動焦点制御ステップと、
自動焦点制御ステップで測定された被写体の距離に基づいて、固定スケール１目盛りの被写体位置における実際の大きさを示す１目盛り実寸値を演算する演算ステップと、
演算された１目盛り実寸値を固定スケールと共に撮影画面に表示させる目盛り実寸値表示ステップと、
固定スケール及び１目盛り実寸値を含む撮影の画像データに合成して外部読出し可能なメモリに記憶させるメモリ制御ステップと、
を実行させることを特徴とする。
【００１９】
【発明の実施の形態】
図１は本発明によるデジタルカメラの実施形態を示したブロック図である。図１において、デジタルカメラ１０には、カメラ制御部として機能するＭＰＵ１２が設けられている。撮影レンズ１４による画像はＣＣＤ１６に結像され、シャッター操作に基づきＣＣＤ１６から画素データがアナログ信号として読み出された後、アンプ１８で増幅され、ＡＤコンバータ２０でデジタル画像データに変換されて画像処理回路２２に入力される。画像処理回路２２は、撮像した画像データに対し所定の処理を行った後、画像メモリ３４に書き込んでいる。
【００２０】
撮影レンズ１４は、ＡＦセンサ２４、焦点制御部２６、及びモータ２８となるループで自動焦点制御を受けている。即ち、ＣＣＤ１６の撮像画面の情報をＡＦセンサ２４に入力して被写体までの距離Ｌを求め、被写体距離Ｌに応じて撮影レンズ１４がＣＣＤ１６上に画像をフォーカシングするように、焦点制御部２６がモータ２８により撮影レンズ１４の位置を制御する。
【００２１】
ＣＰＵ１２に対しては、バス３０を介して操作部３２、画像メモリ３４、表示制御部３６、メモリカード４０及び出力ＩＦ４２が設けられている。操作部３２は、デジタルカメラ１０の撮影動作に必要な各種の設定、更にはシャッター半押し及びシャッター半押し後のシャッター押込みの操作を行う。
【００２２】
画像メモリ３４には画像処理回路２２で処理された撮影画像データが格納される。表示制御部３６は画像メモリ３４の撮像画像データを読み出して、ＬＣＤを用いたディスプレイ３８上に表示する。メモリカード４０には、画像メモリ３４に格納されたものと同じ撮影画像データが格納され、出力インタフェース４２を介してメモリカード４０の撮影画像データを外部装置、例えば図示のようにケーブル接続したパーソナルコンピュータ４４に転送してモニタ上に表示させることができる。
【００２３】
このようなデジタルカメラ１０につき本発明にあっては、ＭＰＵ１２のプログラム制御により実現されるスケールモード処理部４６としての機能を新たに設けている。スケールモード処理部４６は、まずスケール画像生成部として機能する画像ジェネレータ５０により所定ピッチ間隔の目盛りを備えた固定スケールのスケール画像を生成して、撮影の際にディスプレイ３８上に表示させる。
【００２４】
またスケールモード処理部４６は撮影時の自動焦点制御の際に、ＡＦセンサ２４で測定された被写体までの距離に基づいて、画像ジェネレータ５０で生成している固定スケールにおける１目盛りの被写体位置における実際の大きさを示す目盛り実寸値を目盛値演算部４８に演算させ、この演算した目盛り実寸値をディスプレイ３８上に固定スケールと共に表示させる。
【００２５】
このディスプレイ３８における固定スケールと演算された目盛り実寸値の表示は、画像メモリ３４に格納している撮影画像データに対し、画像ジェネレータ５０で発生した固定スケール画像と、目盛値演算部４８で求めた目盛り実寸値のそれぞれを画像合成することにより得られる。
【００２６】
このようなスケールモード処理部４６により画像メモリ３４に格納されている固定スケール及び目盛り実寸値が含まれた撮影画像データは、同時にメモリカード４０にも格納され、撮影後に出力インタフェース４２を介して外部接続したパーソナルコンピュータ４４などに読み出して、固定スケールと目盛り実寸値が表示された撮影画像をモニタすることができる。
【００２７】
図２は本発明のデジタルカメラのディスプレイ上に表示される固定スケールと目盛り実寸値の説明図である。
【００２８】
図２（Ａ）において、図１のデジタルカメラ１０における操作部３２の操作でスケールモードを設定すると、ＭＰＵ１２のスケールモード処理部４６が動作し、画像ジェネレータ５０より得られた固定スケールとして横スケール５４と縦スケール５６からなる十字スケールをディスプレイ３８上に表示する。
【００２９】
横スケール５４及び縦スケール５６には所定の目盛りピッチｄで目盛りが刻まれている。またディスプレイ３８の例えば右下隅には目盛実寸値表示部５８が設けられ、撮影時に任意の被写体に焦点を合わせると、その被写体までの距離に基づいて目盛値演算部４８で演算された横スケール５４及び縦スケール５６における１目盛りの被写体位置における実際の大きさを示す目盛り実寸値が、例えばｃｍを単位とした３桁の表示で表示される。
【００３０】
図２（Ｂ）は被写体６０に焦点を合わせた場合のディスプレイ３８の表示画面であり、このとき目盛実寸値表示部５８には「１００」が表示され、したがって縦スケール５４及び横スケール５６の１目盛りは被写体６０の位置において１００ｃｍであることを表わしている。
【００３１】
このため、図２（Ｂ）のような撮影画像データをデジタルカメラ１０で撮影した場合、撮影後に外部のパーソナルコンピュータ４４に接続して、そのモニタ上に図２（Ｂ）と同じ画像を表示させ、例えば被写体６０の横幅は横スケール５４の２目盛りの大きさであることから、これに目盛り実寸値表示部５８に表示されている数値「１００」を掛け合わせることで、被写体６０の横幅は
２目盛り×１００ｃｍ＝２００ｃｍ
となることがモニタ画面の表示画像から簡単に分かる。
【００３２】
図３は本発明のデジタルカメラにおける被写体までの距離から固定スケールの目盛り実寸値を算出するための光学系の説明図である。図３において、デジタルカメラ１０側については、撮影レンズ１４、ＣＣＤ１６及びディスプレイ３８を取り出しており、ディスプレイ３８のＣＣＤ１６のサイズに対応した横方向撮影範囲をｗ、縦方向撮影範囲をｈとし、更に固定スケールの１目盛りのディスプレイ上の大きさをｄとしている。
【００３３】
このようなデジタルカメラ１０に対し、撮影レンズ１４から距離Ｌ離れた被写体を考えると、この距離Ｌの被写体位置におけるＣＣＤ１６の撮影範囲に対応した撮影領域６２が仮想的に設定できる。この被写体位置における撮影領域６２の横方向撮影範囲をＷ、縦方向撮影範囲をＨ、被写体領域６２における固定スケールの目盛りピッチをＤとしている。
【００３４】
このようなデジタルカメラの撮影光学系において、ＣＣＤ１６の撮影範囲からディスプレイ３８の撮影範囲への倍率をｋ、焦点距離をｆとすると、水平撮影画角θＨと垂直撮影画角θＶは次式で与えられる。
【００３５】
【数１】
2004260778.tif 000003
【００３６】
このため、撮影レンズ１４から被写体までの距離Ｌにおける撮影領域６２の横方向撮影範囲Ｗと縦方向撮影範囲Ｈは次式となる。
【００３７】
【数２】
2004260778.tif 000004
【００３８】
ここで、ディスプレイ３８上での目盛りピッチｄと被写体位置での撮影領域６２における実際の目盛りピッチＤとの間には、例えばディスプレイ３８の横方向撮影範囲ｗと被写体位置での同じく横方向撮影範囲Ｗとの比例関係から
Ｗ／ｗ＝Ｄ／ｄ      （５）
の関係がある。したがって、被写体位置における目盛り実寸値Ｄは次式となる。
【００３９】
Ｄ＝Ｗ（ｄ／ｗ）    （６）
この（６）式に（３）式のＷを代入すると
【００４０】
【数３】
2004260778.tif 000005
【００４１】
となる。この（５）式において、θＨ、ｄ、ｗは定数として決まっていることから、被写体までの距離Ｌを測定して（７）式に代入することで、被写体位置での目盛り実寸値Ｄを算出することができる。
【００４２】
この目盛り実寸値Ｄの算出は撮影範囲の横方向について行っているが、縦方向についても目盛りピッチは同じであることから、同様にして算出でき、どちらを使用してもよい。
【００４３】
図４は図２（Ｂ）と同じ被写体６０について、被写体までの距離を変化させて撮影した場合のディスプレイの説明図である。図４（Ａ）は、図２（Ｂ）に対し被写体６０に近付いて撮影したときのディスプレイ３８の撮影画像であり、被写体６０までの距離が短くなることで、このときの距離により算出された目盛り実寸値表示部５８の数値は「０５０」となっており、被写体６０に対する横スケール５４及び縦スケール５６の１目盛りの被写体位置での実際の大きさは５０ｃｍであることが分かる。
【００４４】
そこで被写体６０の横幅について見ると、横スケール５４の４目盛りの幅であり、したがって被写体６０の横幅は
４目盛り×５０ｃｍ＝２００ｃｍ
であることが簡単に分かる。
【００４５】
図４（Ｂ）は、更に被写体６０に近付いて撮影した際のディスプレイ３８の画像であり、このとき目盛り実寸値表示部５８の数値は「０２５」となっている。この場合、被写体６０の横幅について、横スケール５４の目盛りは８目盛りとなっており、したがって被写体６０の横幅は
８目盛り×２５ｃｍ＝２００ｃｍ
として簡単に測定できる。
【００４６】
図５は本発明によるデジタルカメラの撮影制御を示したフローチャートであり、図１のＭＰＵ１２のプログラム制御として実現される。図５において、まずステップＳ１でスケールモードの有無をチェックしている。撮影者がスケールモードを選択すると、ステップＳ２以降の処理に進む。
【００４７】
スケールモードにおけるステップＳ２の処理にあっては、画像ジェネレータ５０によりスケール画像を生成して、例えば図２（Ｂ）のように表示する。続いてステップＳ３で、ＡＦセンサ２４から得られている被写体までの距離から目盛り実寸値を演算する。
【００４８】
この目盛り実寸値の演算は、ステップＳ４でシャッター半押しが行われるまで、そのときの被写体距離に応じてリアルタイムで演算されている。ステップＳ４で撮影者が被写体に焦点を合わせた状態でシャッター半押しを行うと、ステップＳ５でフォーカスロックが行われ、このときの目盛り実寸値を保持する。続いてステップＳ６でシャッター押込みによる撮影動作が行われると、ステップＳ７でＣＣＤ１６の読出し動作により得られた画像データを画像メモリ３４に格納する。
【００４９】
続いて、ステップＳ８で画像メモリに目盛り実寸値をマージして格納する。更にステップＳ９で、画像メモリに格納した撮影画像データ、固定スケール及び目盛り実寸値からなる画像データをメモリカード４０に保存する。続いてステップ１０で終了の有無をチェックしており、終了でなければ再びステップＳ１に戻る。撮影者がスケールモードを選択していなければ、ステップＳ１からステップＳ１１に進み、ノーマルモードの撮影処理が通常どおり行われる。
【００５０】
図６は本発明で使用する固定スケールの他の実施形態の説明図である。図６（Ａ）にあっては、ディスプレイ３８上に横スケール５４と縦スケール５６でなる十字スケールに加えて、対角方向に配置した２本の斜めスケール６４，６５を表示するようにしている。
【００５１】
このような斜めスケール６４，６５によって、縦横方向における被写体６６の大きさのみならず斜め方向についても正確な目盛り値を読み取って、目盛実寸値表示部５８の数値との乗算で被写体の実際の寸法を求めることができる。
【００５２】
図６（Ｂ）は斜め図形６４，６５に加え更に、画面中心に対し同心円を一定間隔で配置したリングスケール６８を設けている。このリングスケール６８によって、被写体６６における３６０°方向の目盛りサイズを比較的容易に読み取ることができる。
【００５３】
図７は本発明で選択的に使用可能な目盛りピッチの異なる固定スケールの説明図である。図７（Ａ）は、目盛りピッチを細かくして測定精度を高めた横スケール７０と縦スケール７２の例である。これに対し図７（Ｂ）は、目盛りピッチを粗くした横スケール７４と縦スケール７６の例である。ここで図７（Ａ）の横スケール７０の目盛りピッチと図７（Ｂ）の横スケール７４の目盛りピッチは１：４の関係にある。
【００５４】
このため、図７のメモリ実寸値表示部５８の数値が「０２５」であったとすると、図７（Ｂ）の目盛り実寸値表示部５８の数値は４倍の「１００」となっている。このように、目盛りピッチの異なる固定スケールを複数準備しておき、操作部３２によるユーザの切替操作により、必要とする目盛りピッチの固定スケールを選択して、スケールモードにおける撮影動作を行うことができる。
【００５５】
図８は本発明の他の実施形態であり、この実施形態にあっては、横スケール５４及び縦スケール５６による十字スケールの交点を中心とする半径の異なる円周上に例えば１０°単位に角度目盛を刻んだ角度目盛リング８０，８２を表示させるようにしたことを特徴とする。
【００５６】
この角度目盛リング８０，８０により例えば撮影画像中の支柱から横に張り出したアングルを支えるステーの角度などを簡単に測定できる。
【００５７】
なお本発明は図１のデジタルカメラ１０の実施形態に限定されず、スケールモード処理部４６としての機能が実現できるものであれば適宜の構成を取ることができる。また、被写体までの距離の測定はＡＦセンサ２４の測定情報によらず、専用の距離センサから得るようにしてもよい。
【００５８】
また被写体までの距離の測定にＡＦセンサを用いた場合には、測定可能な距離範囲が決まっていることから、このＡＦセンサによる有効距離範囲で得られた値に基づき固定スケールの目盛り実寸値を演算して表示すればよく、有効距離範囲を外れた場合には目盛実寸値表示部５８に数値表示は行わず、エラー表示とすればよい。更に本発明は、その目的と利点を損なうことのない適宜の変形を含む。
【００５９】
【発明の効果】
以上説明してきたように本発明のデジタルカメラによれば、撮影によりメモリに格納される撮影画像には固定スケールと被写体までの距離に基づいて演算された固定スケールにおける１目盛りの被写体位置での実際の大きさを示す目盛り実寸値が合成表示されており、撮影後に例えば外部の十分な表示サイズをもつモニタで再生し、モニタ画面の固定スケールから被写体の大きさを示す目盛り数を読み取り、これに画面に表示されている目盛り実寸値を掛け合わせることで、簡単に被写体の実際の寸法を撮影画像から求めることができる。
【００６０】
また、被写体の寸法を測定するための撮影は通常の手元撮影で簡単に行うことができ、被写体の大きさを知るためにデジタルカメラの小さなディスプレイ上でカーソルなどの設定操作などを一切必要とせず、手持ち撮影により、大きさ測定を必要とする被写体を自由に撮影し、撮影後に外部モニタに映し出すことで、簡単に被写体の大きさを知ることができる。
【図面の簡単な説明】
【図１】本発明によるデジタルカメラの実施形態を示したブロック図
【図２】本発明のデジタルカメラのディスプレイ上に表示される固定スケールと目盛り実寸値の説明図
【図３】被写体距離から固定スケールの目盛り実寸値を算出するための光学系の説明図
【図４】被写体までの距離を変化させたときのディスプレイの説明図
【図５】本発明による撮影制御を示したフローチャート
【図６】本発明で使用する固定スケールの他の実施形態の説明図
【図７】本発明で選択的に使用可能な目盛りピッチの異なる固定スケールの説明図
【図８】角度目盛リングを表示させる本発明の他の実施形態による固定スケールの説明図
【符号の説明】
１０：デジタルカメラ
１２：ＭＰＵ
１４：撮影レンズ
１６：ＣＣＤ
１８：アンプ
２０：ＡＤコンバータ
２２：画像処理回路
２４：ＡＦセンサ
２６：焦点制御部
２８：モータ
３０：バス
３２：操作部
３４：画像メモリ
３６：表示制御部
３８：ディスプレイ
４０：メモリカード
４２：出力ＩＦ
４４：パーソナルコンピュータ
４６：スケールモード処理部
４８：目盛値演算部
５０：画像ジェネレータ
５４，７０，７４：横スケール
５６，７２，７６：縦スケール
５８：目盛実寸値表示部
６０，６６：被写体
６２：撮影領域
６４，６５：斜めスケール
６８：リングスケール
８０，８２：角度目盛リング
【図１】
2004260778.tif 000006
【図２】
2004260778.tif 000007
【図３】
2004260778.tif 000008
【図４】
2004260778.tif 000009
【図５】
2004260778.tif 000010
【図６】
2004260778.tif 000011
【図７】
2004260778.tif 000012
【図８】
2004260778.tif 000013